(57)【要約】【課題】携帯端末通信での差別化【解決手段】インターネットを介して通信が選択時、相手端末装置が携帯電話からの受信であると、通信が選択時、その通信を実行しないで、その旨を表示し、ユーザからの肯定応答後、通信を開始する。インターネットを介しての通話が選択時、相手端末装置が携帯電話であると通話を実行する。ここで、ＰＳＴＮを介した通信の場合は、相手端末装置が携帯電話からの通信であっても、通信が選択時その通信を実行する。【選択図】        図１
2004241986.tif 000002
【特許請求の範囲】
【請求項１】
インターネットを介して通信可能な通信装置において、インターネットを介しての通信が選択時、相手端末装置が携帯電話からの受信であると、通信が選択時、その通信を実行しないで、その旨を表示し、ユーザからの肯定応答後、通信を開始する事を特徴とする通信装置。
【請求項２】
請求項１において、インターネットを介しての通話が選択時、相手端末装置が携帯電話であると、通話を実行する事を特徴とする通信装置。
【請求項３】
請求項１、２において、さらに、ＰＳＴＮを介した通信を実行する手段を有し、ＰＳＴＮを介した通信の場合は、相手端末装置が携帯電話からの通信であっても、通信が選択時、その通信を実行する事を特徴とする通信装置。
【請求項４】
請求項１、２、３において、インターネットを介した通信は通信量に伴い通信料金が変わらない契約である事を特徴とする通信装置。
【請求項５】
請求項１、２、３、４において、ＰＳＴＮを介した通信は通信量に伴い通信料金が変わる契約である事を特徴とする通信装置。
【請求項６】
請求項１、２、３、４、５において、通信が選択時、相手端末装置が固定端末装置であると、全ての通信、通話を実行する事を特徴とする通信装置。
【発明の詳細な説明】
【０００１】
【発明の属する技術分野】
本発明は、通信装置、インターネットを介した通信が可能な通信装置に関するものである。
【０００２】
【従来の技術】
従来の通信装置は、通信動作、あるいは、通話動作が選択されると、アドレスにより、インターネットを介した通信とＰＳＴＮを介した通信を切り替え、常に、通信、あるいは、通話を実行していた。ここで、一般にインターネットを介した通信は通信費が通信量により増える事が無く、ＰＳＴＮを介した通信では、通信費が通信量により増えるケースを考える。
【０００３】
すなわち、通信が選択されると、相手先端末の網との接続状態により、通信制御、あるいは、通話制御を帰る事はしていなかった。
【０００４】
【発明が解決しようとする課題】
しかしながら、上記、従来例では、送信機で、インターネットを介した通信を選択して、通信量に通信費が増えないと考えて使用したにもかかわらず、相手端末装置が携帯電話からの受信であると、通話量により、通信費は増加し、ユーザはこの通信のための通信費は無料と考えているのも関わらず、通信費が必要となるという欠点があった。
【０００５】
【課題を解決するための手段】
第１の本発明によれば、インターネットを介して通信可能な通信装置において、インターネットを介しての通信が選択時、相手端末装置が携帯電話からの受信であると、通信が選択時、その通信を実行しないで、その旨を表示し、ユーザからの肯定応答後、通信を開始する事が可能になった。第２の本発明によれば、第１の本発明において、インターネットを介しての通話が選択時、相手端末装置が携帯電話であると、通話を実行する事が可能になった。第３の本発明によれば、第１、２の本発明において、さらに、ＰＳＴＮを介した通信を実行する手段を有し、ＰＳＴＮを介した通信の場合は、相手端末装置が携帯電話からの通信であっても、通信が選択時、その通信を実行する事が可能になった。第４の本発明によれば、第１、２、３の本発明において、インターネットを介した通信は通信量に伴い通信料金が変わらない契約である事が可能になった。第５の本発明によれば、第１、２、３、４の本発明において、ＰＳＴＮを介した通信は通信量に伴い通信料金が変わる契約である事が可能になった。第６の本発明によれば、第１、２、３、４、５の本発明において、通信が選択時、相手端末装置が固定端末装置であると、全ての通信、通話を実行する事が可能になった。
【０００６】
これらにより、送信機で、インターネットを介した通信を選択して、相手端末装置が携帯電話からの受信であると、通話量により、通信費は増加するので、その旨を一度、表示でき、ユーザはこれを認識した後、必要に応じて通信が実行でき、本当に必要な通信のみ通信費を払い、通信する事が可能になりユーザにはとても使い易くなった。
【０００７】
また、インターネットを介した通話では、相手端末装置が携帯電話からの受信であっても、即時性が必要と判断し、通話量により、通信費は増加するが通信を実行できユーザにとっては使い易くなった。
【０００８】
また、ＰＳＴＮを介した通信では、相手端末装置が携帯電話からの受信であると、金額はアップするもののもともと通信量は取られるので、通話量により、通信費は増加するが通信を実行できユーザにとっては使い易くなった。
【０００９】
また、相手端末装置が固定端末装置であると、相手端末に依存する通信料のアップは無いので、全ての通信、通話を実行する事が可能になり、ユーザにはとても使い易くなった。
【００１０】
【発明の実施の形態】
（実施例１）
以下、図面に示す実施の形態に基づいて、本発明を詳細に説明する。
【００１１】
図１には、本発明の実施の形態である通信装置がブロック図として図示されている。
【００１２】
２は、ＮＣＵ（網制御装置）で、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、信号線２ａを電話機側に接続（ＣＭＬオフ）したり、信号線２ａをファクシミリ装置側に接続（ＣＭＬオン）するものである。なお、通常状態では、信号線２ａは、電話機４側に接続されている。
【００１３】
４は、電話機である。
【００１４】
６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１５】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。８は、バス２６からの送信信号を入力し、変調データを信号線８ａに出力し、信号線６ａに出力されている受信信号を入力し、復調データをバス２６に出力する。
【００１６】
１０は、発呼回路であり、バス２６からの信号により、電話番号情報を入力し、信号線１０ａにＤＴＭＦの選択信号を出力する。
【００１７】
１２は、加算回路であり、信号線８ａの情報と信号線１０ａの情報を入力し、加算した結果を信号線１２ａに出力する。
【００１８】
１４は、読取回路であり、読み取りデータをバス２６に出力する。
【００１９】
１６は、記録回路であり、バス２６に出力されている情報を順次１ライン毎に記録する。
【００２０】
１８は、メモリ回路であり、ワーク用のメモリ（ＲＡＭ）、さらに、読み取りデータの生情報、あるいは、符号化した情報を格納したり、また、受信情報、あるいは、復号化した情報等をバス２６を介して格納するために使用する。
【００２１】
２０は、操作部であり、ワンタッチダイヤル、短縮ダイヤル、テンキー、＊キー、＃キー、スタートキー、ストップキー、セットキー、その他のファンクションキーがあり、押下されたキー情報はバス２６に出力される。
【００２２】
操作部には、表示部があり、バス２６に出力されている情報を入力し、表示する。
【００２３】
２２は、ＣＰＵ（中央処理装置）であり、ファクシミリ全体の制御をしたり、ファクシミリ伝送制御手順を実行するが、その制御プログラムは、ＲＯＭ２４に格納される。
【００２４】
２６は、バスである。
【００２５】
２８は、ネットワークカードである。
【００２６】
３０は、ＡＤＳＬモデム内蔵ブローだバンドルータである。ここで、信号線２８ａは、イーサネット（登録商標）である。
【００２７】
３２は、スプリッタである。信号線３２ａは電話回線であり、信号線３２ｂには、音声帯域の信号が送受信され、信号線３０ａには、高帯域の信号が送受信される。これらの帯域分割をスプリッタが実行する。
【００２８】
３４は、ＰＣであり、ＬＡＮに接続される。
【００２９】
２４は、インターネットを介して通信可能な通信装置において、インターネットを介しての通信が選択時、相手端末装置が携帯電話からの受信であると、通信が選択時、その通信を実行しないで、その旨を表示し、ユーザからの肯定応答後、通信を開始する。
【００３０】
ここで、インターネットを介しての通話が選択時、相手端末装置が携帯電話であると、通話を実行する。
【００３１】
また、ＰＳＴＮを介した通信を実行する手段を有し、ＰＳＴＮを介した通信の場合は、相手端末装置が携帯電話からの通信であっても、通信が選択時、その通信を実行する。
【００３２】
また、通信が選択時、相手端末装置が固定端末装置であると、全ての通信、通話を実行する。
【００３３】
ここでは、インターネットを介した通信は通信量に伴い通信料金が変わらない契約であり、ＰＳＴＮを介した通信は通信量に伴い通信料金が変わる契約であるとする。
【００３４】
以上の制御プログラムが格納されている。
【００３５】
図２、３、４、５には、通信装置側の図１の制御の流れ図が図示されている。
【００３６】
図２において、Ｓ０は、始めを表している。
【００３７】
Ｓ２は、バス２６を介して、メモリ１８をイニシャライズする事を表している。
【００３８】
Ｓ４は、バス２６を介して、操作部の表示部をクリアする事を表している。
【００３９】
Ｓ６では、バス２６を介してＮＣＵ２のＣＭＬをオフする。
【００４０】
Ｓ８では、発呼が選択されたか否かが判断されＹＥＳであるとＳ１２に進み、ＮＯであるとＳ１０に進み、その他の処理をする。
【００４１】
Ｓ１２では操作部の情報を入力し、通話が選択されたか否かが判断されＹＥＳであるとＳ１４に進み、ＮＯである、すなわち、通信が選択されるとＳ２８に進む。
【００４２】
Ｓ１４ではＰＳＴＮを介した通話の宛先への発呼であるか否かが判断されＹＥＳであるとＳ１６に進み、ＮＯである、すなわち、インターネットを介した通話の宛先であるとＳ２４に進む。
【００４３】
Ｓ１６では、バス２６を介して、ＮＣＵ２のＣＭＬをオンする。
【００４４】
Ｓ１８は、発呼回路を使用して、指定されたＰＳＴＮの宛先へ発呼する事を表している。ここで、相手端末は、携帯電話、あるいは、固定電話である。
【００４５】
Ｓ２０は、通話を表している。
【００４６】
Ｓ２２では、受話器がオンフックされたか否かが判断され、ＹＥＳであるとＳ６に進み、ＮＯであるとＳ２０に進む。
【００４７】
Ｓ２４は、ＡＤＳＬを介してインターネット電話による通話を表している。ここで、相手端末は、携帯電話、あるいは、固定電話である。
【００４８】
Ｓ２６では、受話器がオンフックされたか否かが判断され、ＹＥＳであるとＳ６に進み、ＮＯであるとＳ２４に進む。
【００４９】
Ｓ２８ではＰＳＴＮを介した通信の宛先への発呼であるか否かが判断されＹＥＳであるとＳ３０に進み、ＮＯである、すなわち、インターネットを介した通信の宛先であるとＳ３８に進む。
【００５０】
Ｓ３０では、バス２６を介して、ＮＣＵ２のＣＭＬをオンする。
【００５１】
Ｓ３２は、発呼回路を使用して、指定されたＰＳＴＮの宛先へ発呼する事を表している。ここで、相手端末は、携帯電話からの受信、あるいは、固定電話からの受信である。
【００５２】
Ｓ３４は、通信の実行を表している。
【００５３】
Ｓ３６では、通信が終了したか否かが判断され、ＹＥＳであるとＳ６に進み、ＮＯであるとＳ３４に進む。
【００５４】
Ｓ３８では、発呼する宛先から判断し、相手端末は携帯端末からの受信であるか否かが判断され、ＹＥＳであるとＳ４０に進み、ＮＯである、すなわち、相手端末は固定端末からの受信であるとＳ５０に進む。
【００５５】
Ｓ４０は、操作部の表示部に、「相手端末は携帯電話からの受信で（、通信料が高くなりま）すが通信を続行しますか」と表示する。この表示は何らかのキー操作で消去する。
【００５６】
Ｓ４２では、タイマに１０秒をセットする。
【００５７】
Ｓ４４は、操作部の情報を入力し、肯定応答があるか否かが判断され、ＹＥＳであるとＳ５０に進み、ＮＯであるとＳ４６に進む。
【００５８】
Ｓ４６では、タイマがタイムオーバしたか否かが判断され、ＹＥＳであるとＳ４８に進み、ＮＯであるとＳ４４に進む。
【００５９】
Ｓ４８は、操作部の表示を消去する事を表している。
【００６０】
Ｓ５０は、インターネットを介してインターネットによる通信の実行を表している。
【００６１】
Ｓ５２では、通信が終了したか否かが判断され、ＹＥＳであるとＳ６に進み、ＮＯであるとＳ５０に進む。
【００６２】
【発明の効果】
第１、２、３、４、５、６の本発明によれば、送信機で、インターネットを介した通信を選択して、相手端末装置が携帯電話からの受信であると、通話量により、通信費は増加するので、その旨を一度、表示でき、ユーザはこれを認識した後、必要に応じて通信が実行でき、本当に必要な通信のみ通信費を払い、通信する事が可能になりユーザにはとても使い易くなった。
【００６３】
また、インターネットを介した通話では、相手端末装置が携帯電話からの受信であっても、即時性が必要と判断し、通話量により、通信費は増加するが通信を実行できユーザにとっては使い易くなった。
【００６４】
また、ＰＳＴＮを介した通信では、相手端末装置が携帯電話からの受信であると、金額はアップするもののもともと通信量は取られるので、通話量により、通信費は増加するが通信を実行できユーザにとっては使い易くなった。
【００６５】
また、相手端末装置が固定端末装置であると、相手端末に依存する通信料のアップは無いので、全ての通信、通話を実行する事が可能になり、ユーザにはとても使い易くなった。
【図面の簡単な説明】
【図１】本発明によるファクシミリ装置の実施例のブロック図
【図２】本発明による制御の流れ図
【図３】本発明による制御の流れ図
【図４】本発明による制御の流れ図
【図５】本発明による制御の流れ図
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  ネトワークカード
３０  ＡＤＳＬモデム内蔵ブロードバンドルータ
３２  スプリッタ
３４  ＰＣ
【図１】
2004241986.tif 000003
【図２】
2004241986.tif 000004
【図３】
2004241986.tif 000005
【図４】
2004241986.tif 000006
【図５】
2004241986.tif 000007